(57)【要約】【課題】粒状物、粉末などを収容し、開封が容易にでき、バージン性を有し、そして、開口部、特にカートン本体部の前板の上縁部の補強ができ、かつ、一つのブランクから組み立てることができる蓋付きカートンを提供することにある。【解決手段】前板、両側板、後板、および底板からなるカートン本体部と、蓋前板、蓋両側板、および蓋天板からなる蓋体部を、後板の上辺に折れ線を介して蓋板天板を連接した一つのブランクを組み立ててなる折れ線をヒンジとして開閉自在とした蓋付きカートンであって、蓋体部の蓋前板に折れ線を介して蓋折り返し板を連設し、該蓋折り返し板を蓋前板の裏面側に折り返し、蓋折り返し板の少なくとも一部をカートン本体部の前板の上縁部に貼り合わせ、カートン本体部に蓋体部を被せて、開封時に、蓋折り返し板の少なくとも一部を前板に貼り合わせた状態で残して、開封することが可能な形状としたことを特徴とする蓋付きカートンである。【選択図】図２
2004250054.tif 000002
【特許請求の範囲】
【請求項１】
前板、両側板、後板、および底板からなるカートン本体部と、蓋前板、蓋両側板、および蓋天板からなる蓋体部を、前記後板の上辺に折れ線を介して蓋板天板を連接した一つのブランクを組み立ててなる前記折れ線をヒンジとして開閉自在とした蓋付きカートンであって、
前記蓋体部の前記蓋前板に折れ線を介して蓋折り返し板を連設し、該蓋折り返し板を前記蓋前板の裏面側に折り返し、前記蓋折り返し板の少なくとも一部を前記カートン本体部の前記前板の上縁部に貼り合わせ、前記カートン本体部に前記蓋体部を被せて、開封時に、前記蓋折り返し板の少なくとも一部を前記前板に貼り合わせた状態で残して、開封することが可能な形状としたことを特徴とする蓋付きカートン。
【請求項２】
前記折れ線を切り取り可能な折れ線とし、開封時に、前記蓋折り返し板から前記蓋前板を引き離すことが可能な形状としたことを特徴とする請求項１に記載の蓋付きカートン。
【請求項３】
前記折り返し板に前記折れ線と平行に切断線を設け、前記蓋前板の裏面側に折り返した前記蓋折り返し板の前記切断線より内側部分を前記蓋前板の裏面に貼り合わせ、前記蓋折り返し板の前記切断線より外側部分を前記カートン本体部の前記前板の上縁部に貼り合わせ、前記カートン本体部に前記蓋体部を被せて、開封時に、前記蓋折り返し板を前記切断線により前記内側部分と前記外側部分とに引き離すことが可能な形状としたことを特徴とする請求項１に記載の蓋付きカートン。
【請求項４】
前記切断線の中央部分を罫線部とし、該罫線部の両側の部分の切れ目部とし、前記罫線部から内側（蓋前板側）に切れ線により係止片を設けたことを特徴とする請求項３に記載の蓋付きカートン。
【請求項５】
前記折れ線の中央部を切れ目部とし、前記折り返し板に前記折れ線と平行に切断線を設け、該切断線の中央部分を罫線部とし、該罫線部の両側の部分を切れ目部としそれぞれの切れ目部の内側の端部から斜め内側方向に前記罫線部分と分岐して斜め切断線を前記折れ線まで延設し、前記折れ線の前記切れ目部の両端と繋げており、前記蓋前板の裏面側に折り返した前記蓋折り返し板の前記切断線より外側部分を前記カートン本体部の前記前板の上縁部に貼り合わせ、前記カートン本体部に前記蓋体部を被せて、開封時に、前記蓋折り返し板を前記切断線および前記斜め切断線により引き離すことが可能な形状としたことを特徴とする請求項１に記載の蓋付きカートン。
【発明の詳細な説明】
【０００１】
【発明の属する技術分野】
本発明は、粒状物、粉末などを収容する、一つのブランクから組み立てられ、バージン性を有するとともに、開口部を強化した蓋付きカートンに関するものである。
【０００２】
【従来の技術】
従来から、粒状物、粉末などを収容する蓋付きカートンとしては、図１３に示すような、開口部を強化するために、それぞれの上辺に連設した折込み片をそれぞれの裏面の上縁部に折り返して貼られた前板、両側板、後板、そして底板からなる上方を開放した略直方体状のカートン本体部と、蓋体部前板、蓋体部両側板、蓋体部後板、蓋体部天板、そして蓋体部後板下辺に折れ線を介して連設した連結片からなる下方を開放した偏平な略直方体状の蓋体部とを、カートン本体部の後板上部に蓋体部の連結片を貼着して連結した蓋付きカートンが一般に用いられている。また、開封後の再封性を有する蓋付きカートンとしては、種々の形状が提案されている（例えば、特許文献１参照。）。
【０００３】
【特許文献１】
特開平９−７７１０６号公報
【０００４】
【発明が解決しようとする課題】
しかしながら、図１３に示す従来の蓋付きカートンについては、開閉式ではあるが、バージン性がなく、再封性も不充分であり、また、他の例の従来の蓋付きカートンについても、再封性は有するがバージン性がなく、いずれの場合も、バージン性を持たせるためにシール貼り等をする必要があるという問題がある。また、開口部を強化するために、それぞれの上辺に連設した折り込み片をそれぞれの裏面の上縁部に折り返して貼り合わせた形状としているが、特にカートン本体の前板の上縁部を強化することが、内容物を充填した蓋付きカートンを保持した時に開口部の変形を少なくするために重要であり、そのためには全体として厚い板紙を使用する必要があり、コストが高くなるという問題がある。さらに、カートン本体部と蓋体部をそれぞれ別々のブランクから組み立てた後、連結するという製造工程であり、加工工数が多くなるという問題もある。
【０００５】
本発明は、粒状物、粉末などを収容し、開封が容易にでき、バージン性を有し、そして、開口部、特にカートン本体部の前板の上縁部の補強ができ、かつ、一つのブランクから組み立てることができる蓋付きカートンを提供することを目的とするものである。
【０００６】
【課題を解決するための手段】
上記の課題を解決するための請求項１に記載の発明は、前板、両側板、後板、および底板からなるカートン本体部と、蓋前板、蓋両側板、および蓋天板からなる蓋体部を、前記後板の上辺に折れ線を介して蓋板天板を連接した一つのブランクを組み立ててなる前記折れ線をヒンジとして開閉自在とした蓋付きカートンであって、前記蓋体部の前記蓋前板に折れ線を介して蓋折り返し板を連設し、該蓋折り返し板を前記蓋前板の裏面側に折り返し、前記蓋折り返し板の少なくとも一部を前記カートン本体部の前記前板の上縁部に貼り合わせ、前記カートン本体部に前記蓋体部を被せて、開封時に、前記蓋折り返し板の少なくとも一部を前記前板に貼り合わせた状態で残して、開封することが可能な形状としたことを特徴とする蓋付きカートンである。
【０００７】
以上のような構成にすることにより、前板、両側板、後板、および底板からなるカートン本体部と、蓋前板、蓋両側板、および蓋天板からなる蓋体部を、前記後板の上辺に折れ線を介して蓋板天板を連接した一つのブランクを組み立ててなる前記折れ線をヒンジとして開閉自在とした蓋付きカートンであって、バージン性を有し、カートン本体部から蓋体部を容易に開封することができ、かつ、開封した後に、蓋体部の蓋前板に連設した蓋折り返し板の少なくとも一部をカートン本体部の前板の上縁部に貼り合わせた状態で残すことによって、カートン本体部の開口部の前板の上縁部の補強ができ、また、一つのブランクから組み立てることができることによって、加工工程が容易な蓋付きカートンを得ることができる。
【０００８】
また、請求項２に記載の発明は、請求項１に記載の蓋付きカートンにおいて、前記折れ線を切り取り可能な折れ線とし、開封時に、前記蓋折り返し板を前記前板に貼り合わせた状態で残して、前記蓋前板を前記蓋折り返し板から引き離すことが可能な形状としたことを特徴とするものである。
【０００９】
このような構成にすることにより、蓋前板を蓋折り返し板から引き離すことができ、かつ、開封した後に、蓋折り返し板をカートン本体部の前板の上縁部に貼り合わせた状態で残すことによって、カートン本体部の開口部の前板の上縁部の補強ができる蓋付きカートンを得ることできる。
【００１０】
また、請求項３および４に記載の発明は、請求項１に記載の蓋付きカートンにおいて、前記折り返し板に前記折れ線と平行に切断線を設け、前記蓋前板の裏面側に折り返した前記蓋折り返し板の前記切断線より内側部分を前記蓋前板の裏面に貼り合わせ、前記蓋折り返し板の前記切断線より外側部分を前記カートン本体部の前記前板の上縁部に貼り合わせ、開封時に、前記外側部分を前記前板に貼り合わせた状態で残して、前記蓋折り返し板の前記内側部分を前記切断線により前記外側部分から引き離すことが可能な形状としたことを特徴とし、また、前記切断線の中央部分を罫線部とし、該罫線部の両側の部分の切れ目部とし、前記罫線部から内側（蓋前板側）に切れ線により係止片を設けたことを特徴とするものである。
【００１１】
このような構成にすることにより、蓋折り返し板を切断線により内側部分と外側部分とに引き離すことにより、蓋体部をカートン本体部から開封することができ、かつ、開封した後に、蓋折り返し板の一部をカートン本体部の前板の上縁部に貼り合わせた状態で残すことによって、カートン本体部の開口部の前板の上縁部の補強ができ、さらに、切断線から内側に設けた係止片により再封が可能な蓋付きカートンを得ることできる。
【００１２】
また、請求項５に記載の発明は、請求項１に記載の蓋付きカートンにおいて、前記折れ線の中央部を切れ目部とし、前記折り返し板に前記折れ線と平行に切断線を設け、該切断線の中央部分を罫線部とし、該罫線部の両側の部分を切れ目部とし、それぞれの切れ目部の内側の端部から斜め内側方向に前記罫線部分と分岐して斜め切断線を前記折れ線まで延設し、前記折れ線の前記切れ目部の両端と繋げており、前記蓋前板の裏面側に折り返した前記蓋折り返し板の前記切断線より外側部分を前記カートン本体部の前記前板の上縁部に貼り合わせ、開封時に、前記前記蓋折り返し板の前記切断線および前記斜め切断線より外側部分を前記前板に貼り合わせた状態で残して、前記蓋折り返し板の前記切断線および前記斜め切断線より内側部分を前記外側部分から引き離すことが可能な形状としたことを特徴とするものである。
【００１３】
このような構成にすることにより、蓋折り返し板を切断線および斜め切断線により引き離すことにより、蓋体部をカートン本体部から開封することができ、かつ、開封した後に、蓋折り返し板の一部をカートン本体部の前板の上縁部に貼り合わせた状態で残すことによって、カートン本体部の開口部の前板の上縁部の補強ができ、さらに、切断線と斜め切断線により切断された蓋折り返し板の両側の部分が係止片となり再封が可能な蓋付きカートンを得ることできる。
【００１４】
【発明の実施の形態】
以下に、図面を参照にしながら、本発明の蓋付きカートンの実施の形態について、さらに詳しく説明する。なお、説明を簡単にするため、各図の対応する部位には同じ符号を付している。
【００１５】
まず、本発明の蓋付きカートンの第一の実施の形態について実施例をあげて説明する。図１は、本発明の蓋付きカートンの第一の実施の形態の一実施例を示す斜視図である。この蓋付きカートンＡは、一つのブランクから組み立てることができ、カートン本体部１０Ａの後板１３と、蓋体部２０Ａの蓋天板２５とが折れ線ｒで連接されて一体となっている。図１−ａは、蓋付きカートンＡを前方から見た斜視図であり、図１−ｂは、蓋付きカートンＡを後方から見た斜視図である。カートン本体部１０Ａは、前板１１、側板１２、後板１３、側板１４、および底板１６を備えており、上方に開口を有している。また、開口を形成する前板１１、側板１２、側板１４の上縁部を補強するために、それぞれの上辺に前板補強片１１ａ、側板補強片１２ａ（以上は図に示されていない）、側板補強片１４ａ（図２に示す）を連設し、それらの補強片をそれぞれ前板１１、側板１２、側板１４の裏面側に折り返して貼り合わせて上縁部を二重にして補強している。
【００１６】
また、このカートン本体部１０Ａの開口部を閉じるために、蓋体部２０Ａがカートン本体部１０Ａに折れ線ｒで連接されている。蓋体部２０Ａは、閉じた際に、カートン本体部１０Ａの開口部上方に位置する蓋天板２５と、カートン本体部１０Ａの前板１１の上縁部を覆う蓋前板２１と、蓋前板２１に連設され蓋前板２１の裏面側に折り返されてカートン本体部１０Ａの前板１１の上縁部に貼り合わせられる蓋折り返し板２６と、側板１２、１４の上縁部を覆う蓋側板２２、２４とを有している。従って、開封前の段階では、蓋体部２０Ａの蓋折り返し板２６がカートン本体部１０Ａの前板１１の上縁部に貼りあわされている。また、開封時には、図２に示すように、カートン本体部１０Ａに貼り合わされた蓋折り返し板２６と蓋前板２１とが折れ線ｑで切り離され、そして、蓋天板２５と後板１３の間の折れ線ｒをヒンジとして蓋体部２０Ａを開閉することができる。
【００１７】
図３は、図２に示す蓋付きカートンＡのブランクの展開図である。ブランクＡａは、カートン本体部１０Ａの部分と蓋体部２０Ａの部分から構成されている。カートン本体部１０Ａの部分は、糊代片１９、前板１１、側板１２、後板１３、側板１４を折れ線ａ、ｂ、ｃ、ｄを介して順次連設している。前板１１では、下辺に折れ線ｅを介して底板１５を連設し、上辺に折れ線ｉを介して前板補強片１１ａを連設し、側板１２では、下辺に折れ線ｆを介して底折込み片１６を連設し、上辺に折れ線ｊを介して側板補強片１２ａを連設し、後板１３では、下辺に折れ線ｇを介して底下板１７を連設し、側板１４では、下辺に折れ線ｈを介して底折込み片１８を連設し、上辺に折れ線ｌを介して側板補強片１４ａを連設している。
【００１８】
蓋体部２０Ａの部分は、矩形の蓋天板２５を中心にして、上辺に折れ線ｍを介して蓋前板２１を連設し、左側辺に折れ線ｎを介して蓋側板２２を連設し、右側辺に折れ線ｐを介して蓋側板２４を連設している。そして、蓋前板２１の上辺には、折れ線ｑを介して蓋折り返し板２６を連設し、両側辺には、折れ線ｓ、ｓを介して蓋折込み片２８、２８を連設している。この折れ線ｑは、開閉の際に、蓋折り返し板２６と蓋前板２１とを切り離しやすくするために、一般的な罫線ではなくＬ字形の不連続な切れ目を入れた形状としている。この折れ線ｑはＬ字形の切れ目以外にも、Ｉ字形の切れ目、半切れ、ミシン目等とすることができる。また、折れ線ｑの中央部には、蓋折り返し板２６側に突出して切れ線による突起部Ｑを設けている。この突起部Ｑを設けることにより、突起部Ｑを摘んで両側方向の折れ線ｑの切れ目を引き裂いて、カートン本体部１０Ａの前板１１の上縁部に貼り合わされた蓋折り返し板２６から蓋前板２１を引き離しやすくすることができる。また、この蓋折込み片２８、２８は、折れ線ｓ、ｓで折り曲げ、蓋体部２０Ａを組み立てた際、それぞれ蓋側板２２、２４の裏側に接着される。
【００１９】
そして、カートン本体部１０Ａの後板１３の上辺で、蓋体部２０Ａの蓋天板２５とを折れ線ｒで連接している。この折れ線ｒはヒンジ機能を有するように形成されるが、より折り曲げが容易なように、通常の罫線とは異なり、部分的にミシン目または半切れ等を入れた罫線等としてもよい。
【００２０】
つぎに、上記のブランクＡａから本発明の蓋付きカートンＡを組み立てる方法を説明する。
【００２１】
最初に、カートン本体部１０Ａを組み立てるが、図４−ａに示すように、前板補強片１１ａ、側板補強片１２ａ、側板補強片１４ａをそれぞれ折れ線ｉ、ｊ、ｌで内側に折り曲げて、それぞれ前板１１、側板１２、側板１４の裏面の上縁部に貼り合わせる。つぎに、図４−ｂに示すように、前板１１、側板１２、後板１３、側板１４をそれぞれ折れ線ａ、ｂ、ｃ、ｄで折り曲げて、側板１４と糊代片１９とを貼り合わせて、図４−ｃに示すように、カートン本体部１０Ａを四角柱状にする。さらに、底折り込み片１６、１８を折れ線ｆ、ｈで直角に折り曲げ、そこに底下板１７を折り曲げて、そして、底板１５を折り曲げて、底下板１７と底板１５を貼り合わせることにより、図４−ｄに示すように、まず、上方を開放した開口部を有する四角柱形状のカートン本体部１０Ａを組み立てることができる。
【００２２】
つぎに、このようにして組み立てたカートン本体部１０Ａに内容物を収納した後、図５−ａに示すように、蓋体部２０Ａの蓋折り返し板２６を折れ線ｑで蓋前板２１裏面に折り返して、蓋天板２５を折れ線ｒでカートン本体部１０Ａの開口部を被せるように折り曲げ、そして、図５−ｂに示すように、蓋前板２１を折れ線ｍで内側に直角に折り曲げ、蓋折り返し板２６をカートン本体部１０Ａの前板１１の上縁部に貼り合わせる。ついで、図５−ｃに示すように、蓋折り込み片２８、２８を折れ線ｓ、ｓでそれぞれ内側に直角に折り曲げる。さらに、蓋側板２２、２４を折れ線ｎ、ｐで内側に直角に折り曲げ、蓋折り込み片２８、２８と貼り合わせることにより、図１に示すようなカートン本体部１０Ａに蓋体部２０Ａを被せた形状の本発明の蓋付きカートンＡを組み立てることができる。
【００２３】
実際に、本発明の蓋付きカートンＡを開封する時には、図６に示すように、蓋体部２０Ａの蓋前板２１の下辺に突出している突起部Ｑを摘み、蓋前板２１をカートン本体部１０Ａの前板１１の上縁部に貼り合わされた蓋折り返し板２６から折れ線ｑに設けた切れ目で両側方向に引き裂くようにして引き離すことにより図２に示すように、開封することができる。そして、蓋折り返し板２６はカートン本体部１０Ａの前板１１の上縁部に貼り合わされた状態であり、カートン本体部１０Ａの開口部の前板１１の上縁部を強化することができる。また、蓋体部２０Ａを開ける際、蓋天板２５と後板２３の間の折れ線ｒをヒンジとして蓋体部２０Ａが回転し、開閉可能となっている。
【００２４】
つぎに、本発明の蓋付きカートンの第二の実施の形態について、実施例をあげて説明する。本発明の蓋付きカートンの第二の実施の形態の一実施例である蓋付きカートンＢは、一つのブランクから組み立てることができ、バージン性およびカートン本体部の前板の上縁部を強化するという第一の実施の形態と同様の機能に加えて再封性を有していることが特徴であり、開封前の外観としては、図１に示している第一の実施の形態の一実施例である蓋付きカートンＡと同様である。
【００２５】
図７は、蓋付きカートンＢの開封した状態を示す斜視図であり、カートン本体部１０Ｂと蓋体部２０Ｂとが、蓋折り返し板２６に設けられた切断線ｕによって切り離される。そして、カートン本体部１０Ｂに残された蓋折り返し板２６の外側部分２６ｂの中央部から突出する係止片Ｕにより、蓋体部２０Ｂをカートン本体部１０Ｂに被せた時に、確実に閉止され再封が可能となる。そして、蓋天板２５と後板１３の間の折れ線ｒをヒンジとして蓋体部２０Ｂを開閉することができる。
【００２６】
蓋付きカートンＢをカートン本体部１０Ｂと蓋体部２０Ｂとに分けると、カートン本体部１０Ｂは、第一の実施の形態の一実施例である蓋付きカートンＡのカートン本体部１０Ａと同様であるが、蓋体部２０Ｂは、第一の実施の形態の一実施例である蓋付きカートンＡの蓋体部２０Ａと異なり、図８−ａに示すように、蓋前板２１には、折れ線ｑで連設された折り返し板２６が蓋前板２１の裏側に折り返され、図８−ｂに示すように、切断線ｕより内側の内側部分２６ａ（斜線領域）が、蓋前板１の裏面に貼り合わされる。そして、前板１１の上縁部に貼り合わされる部分は、蓋体部２０Ｂの蓋折り返し板２６に設けられた切断線ｕより外側の外側部分２６ｂであり、この部分が接着剤等によりカートン本体部１０Ｂの前板１１の上縁部に貼り合わせて蓋体部２０Ｂをカートン本体１０Ｂ部に被せることができる。
【００２７】
図９は、図７に示す蓋付きカートンＢを構成するブランクの展開図である。ブランクＢａは、カートン本体部１０Ｂの部分と蓋体部２０Ｂの部分から構成されている。カートン本体部１０Ｂの部分は、図３に示す第一の実施の形態の一実施例である蓋付きカートンＡのカートン本体部１０Ａと同様であるが、蓋体部２０Ｂの部分は、蓋体部２０Ａとは異なっており、矩形の蓋天板２５を中心にして、上辺に折れ線ｍを介して蓋前板２１を連設し、左側辺に折れ線ｎを介して蓋側板２２を連設し、右側辺に折れ線ｐを介して蓋側板２４を連設している。そして、蓋前板２１の上辺には、折れ線ｑを介して蓋折り返し板２６を連設し、両側辺には、折れ線ｓ、ｓを介して蓋折込み片２８、２８を連設している。さらに、その蓋折り返し板２６の略中央部には、折れ線ｑに平行に切断線ｕを設け、その切断線ｕは中央部分の罫線部ｕ１とその両側の部分の切れ目部ｕ２、ｕ２とからなり、罫線部ｕ１からは内側（蓋前板２１側）に切れ線ｕ３により係止片Ｕが設けられている。この蓋折り返し板２６の外側部分２６ｂはカートン本体部１０Ｂの前板１１の上縁部に貼り合わされ、係止片Ｕを除く内側部分２６ａは蓋前板２１の上縁部の裏面に貼り合わされる。また、蓋折込み片２８、２８は、折れ線ｓ、ｓで折り曲げ、蓋体部２０Ｂを組み立てた際、それぞれ蓋側板２２、２４の裏側に接着される。
【００２８】
この切断線ｕの切れ目部ｕ２は、開封時に、蓋折り返し板２６の内側部分２６ａと外側部分２６ｂとを切り離しやすくするために、本実施例では、Ｉ字形の不連続な切れ目を入れた形状としているが、他にも、Ｌ字形、Ｙ字形の不連続な切れ目、半切れなどとすることもできる。
【００２９】
つぎに、上記のブランクＢａから本発明の蓋付きカートンＢを組み立てる方法は、ほぼ第一の実施の形態の蓋付きカートンＡの場合と同様に組み立てるが、カートン本体部１０Ｂに内容物を収納した後、蓋体部２０Ｂの組み立てにおいて、蓋折り返し板２６を折れ線ｑで蓋前板２１の裏面側に折り返し、その蓋折り返し板２６の切断線ｕにより分けられた係止片Ｕの部分を除いた内側部分２６ａを蓋前板２１の裏面に貼り合わせる。つぎに、蓋天板２５を折れ線ｒでカートン本体部１０Ｂの開口部を被せるように折り曲げ、そして、蓋前板２１を折れ線ｍで内側に直角に折り曲げ、蓋折り返し板２６の外側部分２６ｂをカートン本体部１０Ｂの前板１１の上縁部に貼り合わせる。ついで、蓋折り込み片２８、２８を折れ線ｓ、ｓでそれぞれ内側に直角に折り曲げる。さらに、蓋側板２２、２４を折れ線ｎ、ｐで内側に直角に折り曲げ、蓋折り込み片２８、２８と貼り合わせることにより、図７に示すような本発明の蓋付きカートンＢを組み立てることができる。
【００３０】
実際に、本発明の蓋付きカートンＢを開封する時には、蓋体部２０Ｂの蓋前板２１を上方に引き上げることにより、蓋折り返し板２６がカートン本体部１０Ｂの前板１１に貼り合わされた外側部分２６ｂと蓋体部２０Ｂの蓋前板２１の裏面に貼り合わされた内側部分２６ａとが切断線ｕで引き離され開封することができる。そして、蓋折り返し板２６の外側部分２６ｂはカートン本体部１０Ｂの前板１１の上縁部に貼り合わされた状態であり、カートン本体部１０Ｂの開口部の前板１１の上縁部を強化することができる。そして、カートン本体部１０Ｂに残された蓋折り返し板２６の外側部分２６ｂの中央部から突出する係止片Ｕにより、蓋体部２０Ｂをカートン本体部１０Ｂに被せた時に、確実に蓋体部２０Ｂが閉止され再封が可能となる。そして、蓋天板２５と後板１３の間の折れ線ｒをヒンジとして蓋体部２０Ａを開閉することができる。
【００３１】
つぎに、本発明の蓋付きカートンの第三の実施の形態について、実施例をあげて説明する。本発明の第三の実施の形態の一実施例である蓋付きカートンＣは、第二の実施の形態の一実施例である蓋付きカートンＢと同様に、一つのブランクから組み立てることができ、バージン性、カートン本体部の前板の上縁部を強化するという機能および再封性を有していることに加えて開封性が良好であるという特徴であり、外観としては、図１に示している第一の実施の形態の一実施例である蓋付きカートンＡと同様である。
【００３２】
図１０は、蓋付きカートンＣの開封した状態を示す斜視図であり、蓋折り返し板２６が蓋前板２１から、折れ線ｑと切断線ｗと斜め切断線ｖ（以上は図１１、１２に示す）によって切り離される。そして、蓋前板２１の両側部に突出した係止片Ｖ、Ｖにより、蓋体部２０Ｃをカートン本体部１０Ｃに被せた時に、確実に閉止され再封が可能となる。そして、蓋天板２５と後板１３の間の折れ線ｒをヒンジとして蓋体部２０Ｃを開閉することができる。
【００３３】
蓋付きカートンＣをカートン本体部１０Ｃと蓋体部２０Ｃとに分けると、カートン本体部１０Ｃは、第一の実施の形態の一実施例である蓋付きカートンＡのカートン本体部１０Ａと同様であるが、蓋体部２０Ｃは、第一の実施の形態の一実施例である蓋付きカートンＡの蓋体部２０Ａと異なり、図１１−ａ、ｂに示すように、蓋前板２１には、折れ線ｑで連設された折り返し板２６が蓋前板２１の裏面側に折り返される。そして、前板１１の上縁部に貼り合わされる部分は、蓋体部２０Ｂの蓋折り返し板２６に設けられた切断線ｗより外側の外側部分２６ｂ（図１１−ｂでの斜線領域）であり、この部分が接着剤等によりカートン本体部１０Ｂの前板１１の上縁部に貼り合わせて蓋体部２０Ｂをカートン本体１０Ｂ部に被せることができる。
【００３４】
図１２は、図１０に示す蓋付きカートンＣを構成するブランクの展開図である。ブランクＣａは、カートン本体部１０Ｃの部分と蓋体部２０Ｃの部分から構成されている。カートン本体部１０Ｃの部分は、図３に示す第一の実施の形態の一実施例である蓋付きカートンＡのカートン本体部１０Ａと同様であるが、蓋体部２０Ｃの部分は、蓋体部２０Ａとは異なっており、矩形の蓋天板２５を中心にして、上辺に折れ線ｍを介して蓋前板２１を連設し、左側辺に折れ線ｎを介して蓋側板２２を連設し、右側辺に折れ線ｐを介して蓋側板２４を連設している。そして、蓋前板２１の上辺には、折れ線ｑを介して蓋折り返し板２６を連設し、両側辺には、折れ線ｓ、ｓを介して蓋折込み片２８、２８を連設している。この蓋折込み片２８、２８は、折れ線ｓ、ｓで折り曲げ、蓋体部２０Ｃを組み立てた際、それぞれ蓋側板２２、２４の裏側に接着される。さらに、その折れ線ｑの中央部には切れ目部ｑ１を設け、その切れ目部ｑ１には、折り返し板２６の外側部２６ｂ側に切れ線による突起部Ｑを設けている。また、蓋折り返し板２６には、折れ線ｑに平行に切断線ｗを設け、その切断線ｗは中央部分を罫線部ｗ１とし、その両側の部分を切れ目部ｗ２、ｗ２としており、両側の切れ目部ｗ２、ｗ２の内側の端部からはそれぞれ斜め内側方向に罫線部分ｗ１と分岐して斜め切断線ｖ、ｖを折れ線ｑまで延設し、折れ線ｑの中央部分の切れ目部ｑ１の両端と繋がっている。この蓋折り返し板２６の外側部分２６ｂはカートン本体部１０Ｂの前板１１の上縁部に貼り合わされる。この時、折れ線ｑの切れ目部ｑ１の長さは切断線ｗの罫線部ｗ１の長さより短く設定する。
【００３５】
この折れ線ｗの切断部ｗ２と斜め切断線ｖ、ｖは、開封時に、蓋折り返し板２６の外側部分２６ｂと内側部分２６ａとを切り離しやすくするために、本実施例では、一般的な罫線ではなくＩ字形の不連続な切れ目を入れた形状としているが、他にも、Ｌ字形、Ｙ字形の不連続な切れ目、半切れなどとすることもできる。
【００３６】
そして、蓋天板２５と後板１３の間の折れ線ｒをヒンジとして蓋体部２０Ｃを開閉することができる。この折れ線ｒはヒンジ機能を有するように形成されるが、より折り曲げが容易なように、通常の罫線とは異なり、部分的にミシン目または半切れ等を入れた罫線等としてもよい。
【００３７】
つぎに、上記のブランクＣａから本発明の蓋付きカートンＣを組み立てる方法は、ほぼ第一の実施の形態の蓋付きカートンＡの場合と同様に組み立てるが、カートン本体部１０Ｃに内容物を収納した後、蓋体部２０Ｃの組み立てにおいて、蓋折り返し板２６を折れ線ｑで蓋前板２１の裏面側に折り返し、蓋天板２５を折れ線ｒでカートン本体部１０Ｂの開口部を被せるように折り曲げ、そして、蓋前板２１を折れ線ｍで内側に直角に折り曲げ、蓋折り返し板２６の外側部分２６ｂをカートン本体部１０Ｂの前板１１の上縁部に貼り合わせる。ついで、蓋折り込み片２８、２８を折れ線ｓ、ｓでそれぞれ内側に直角に折り曲げる。さらに、蓋側板２２、２４を折れ線ｎ、ｐで内側に直角に折り曲げ、蓋折り込み片２８、２８と貼り合わせることにより、図１０に示すような本発明の蓋付きカートンＣを組み立てることができる。
【００３８】
実際に、本発明の蓋付きカートンＣを開封する時には、蓋体部２０Ｃの蓋前板２１に突出した突起部Ｑを摘み、上方に引き上げることにより、折れ線ｑの切れ目部ｑ１から両側の斜め切断線ｖ、ｖを引き裂き、そして連続して切断線ｗの切断ｗ２、ｗ２を引き裂くことができ、蓋前板２１がカートン本体部１０Ｃの前板１１に貼り合わされた蓋折り返し板２６から引き離され開封することができる。そして、蓋折り返し板２６の外側部分２６ｂはカートン本体部１０Ｃの前板１１の上縁部に貼り合わされた状態であり、カートン本体部１０Ｃの開口部の前板１１の上縁部を強化することができる。そして、蓋体部２０Ｃの蓋前板２１の両側部から突出する係止片Ｖ、Ｖにより、蓋体部２０Ｂをカートン本体部１０Ｂに被せた時に、確実に閉止され再封が可能となる。そして、蓋天板２５と後板１３の間の折れ線ｒをヒンジとして蓋体部２０Ｂを開閉することができる。
【００３９】
なお、上記の各蓋付きカートンにおいては、内容物の密封性を高めるために、カートン本体部の開口部上端にグラシン紙などからなる中蓋をシールした形状とすることもできる。
【００４０】
【発明の効果】
以上述べたように、本発明の蓋付きカートンは、粒状物、粉末などを収容し、前板、両側板、後板、および底板からなるカートン本体部と、蓋前板、蓋両側板、および蓋天板からなる蓋体部を、前記後板の上辺に折れ線を介して蓋板天板を連接した一つのブランクを組み立ててなるこの折れ線をヒンジとして開閉自在とした蓋付きカートンであって、蓋体部の蓋前板に連設し、裏側に折り返した蓋折り返し板の少なくとも一部をカートン本体部の前板の上縁部に貼り合わせ、カートン本体部に蓋体部を被せて、開封時に、蓋折り返し板から蓋前板を引き離すか、あるいは、蓋折り返し板において、蓋折り返し板の切断線を切断して引き離すことにより、カートン本体部から蓋体部を開封することができるような形状とすることによって、バージン性を有し、かつ、開封した後に、蓋体部の蓋前板に連設した蓋折り返し板の少なくとも一部をカートン本体部の前板の上縁部に貼り合わせた状態で残すことによって、カートン本体部の開口部の前板の上縁部の補強ができるという効果を有している。特に、蓋付きカートンにおいて、内容物を収容して手で持った時の変形を少なくするためには、カートン本体部の前板を補強することが効果的であり、その点から、本発明の蓋付きカートンは全体の板紙の坪量をあげることなく、カートン本体部の前板を補強することができるという効果を有している。また、一つのブランクから組み立てることができることによって、加工工程を簡易にすることができるという効果を有している。
【図面の簡単な説明】
【図１】本発明の第一の発明の一実施例を示す斜視図である。
【図２】本発明の第一の実施の形態の一実施例を開封した状態を示す斜視図である。
【図３】本発明の第一の実施の形態の一実施例のブランクを示す展開図である。
【図４】本発明の第一の実施の形態の一実施例のカートン本体部の組み立てを説明する斜視図である。
【図５】本発明の第一の実施の形態の一実施例の蓋体部の組み立てを説明する斜視図である。
【図６】本発明の第一の実施の形態の一実施例を開封する状態を示す斜視図である。
【図７】本発明の第二の実施の形態の一実施例を開封した状態を示す斜視図である。
【図８】本発明の第二の実施の形態の一実施例の蓋体部を示す斜視図である。
【図９】本発明の第二の実施の形態の一実施例のブランクを示す展開図である。
【図１０】本発明の第三の実施の形態の一実施例を開封した状態を示す斜視図である。
【図１１】本発明の第三の実施の形態の一実施例の蓋体部を示す斜視図である。
【図１２】本発明の第三の実施の形態の一実施例のブランクを示す展開図である。
【図１３】従来の蓋付きカートンの一例を示す斜視図である。
【符号の説明】
Ａ      蓋付きカートン（第一の実施の形態）
Ｂ      蓋付きカートン（第二の実施の形態）
Ｃ      蓋付きカートン（第三の実施の形態）
Ａａ    ブランク（蓋付きカートンＡの）
Ｂａ    ブランク（蓋付きカートンＢの）
Ｃａ    ブランク（蓋付きカートンＣの）
１０Ａ    カートン本体部（第一の実施の形態）
１０Ｂ    カートン本体部（第二の実施の形態）
１０Ｃ    カートン本体部（第三の実施の形態）
１１      前板
１１ａ    前板補強片
１２      側板
１２ａ    側板補強片
１３      後板
１３ａ    後板補強片
１４      側板
１４ａ    側板補強片
１５      底板
１６      折り込み片
１７      底下板
１８      折り込み片
１９      糊代片
２０Ａ    蓋体部（第一の実施の形態）
２０Ｂ    蓋体部（第二の実施の形態）
２０Ｃ    蓋体部（第三の実施の形態）
２１      蓋前板
２２      蓋側板
２３      蓋後板
２４      蓋側板
２５      蓋天板
２６      蓋折り返し板
２７      連結板
２８      蓋折り込み片
ａ〜ｓ    折れ線
ｕ      切断線
ｗ      切断線
ｖ      斜め切断線
Ｕ      係止片
Ｖ      係止片
【図１】
2004250054.tif 000003
【図２】
2004250054.tif 000004
【図３】
2004250054.tif 000005
【図４】
2004250054.tif 000006
【図５】
2004250054.tif 000007
【図６】
2004250054.tif 000008
【図７】
2004250054.tif 000009
【図８】
2004250054.tif 000010
【図９】
2004250054.tif 000011
【図１０】
2004250054.tif 000012
【図１１】
2004250054.tif 000013
【図１２】
2004250054.tif 000014
【図１３】
2004250054.tif 000015